(57)【要約】      （修正有）【課題】容易かつ安全にヘッド部を破棄することができる歯ブラシを提供する。【解決手段】使用者が握持して歯磨き操作がなされるグリップ部１０と、グリップ部の先端部に設けられてグリップ部よりも小径又は扁平なネック部３０と、ネック部の先端部に着脱可能に設けられてブラシ部４１を備えたヘッド部４０と、ネック部とヘッド部との接続部分に設けられて凹部５１と凸部５２により互いが係合状態とされる係合部５０と、グリップ部又はネック部に設けられて、使用者の押圧操作によって係合部の係合状態が解除されつつネック部からヘッド部が離脱される操作部６０と、を備える。【選択図】図２
0003219389.tif 000002
【実用新案登録請求の範囲】
【請求項１】
使用者が握持して歯磨き操作がなされるグリップ部と、
前記グリップ部の先端部に設けられて前記グリップ部よりも小径又は扁平なネック部と、
前記ネック部の先端部に着脱可能に設けられてブラシ部を備えたヘッド部と、
前記ネック部と前記ヘッド部との接続部分に設けられて互いが係合状態とされる係合部と、
前記グリップ部又は前記ネック部に設けられて、使用者の操作によって前記係合部の係合状態が解除されつつ前記ネック部から前記ヘッド部が離脱される操作部と、
を備えることを特徴とする歯ブラシ。
【請求項２】
前記ヘッド部は基端側から突出された挿入部を備え、
前記ネック部は先端部に向けて開口されて前記挿入部が挿入可能な挿入口部を備え、
前記係合部は前記挿入部と前記挿入口部とに雌雄を異ならせて構成されている、
ことを特徴とする請求項１に記載の歯ブラシ。
【請求項３】
前記係合部は、
弾性を有する前記挿入部の突出端側に設けられた凸部と、
前記挿入口部の内壁面部に設けられて前記凸部が弾発係合される凹部と、
を備え、
前記操作部は、
使用者による押圧操作に連動して変位されることによって前記凸部と前記凹部との間に先端部が臨んで前記係合部の係合状態が解除される操作片部を備える、
ことを特徴とする請求項２に記載の歯ブラシ。
【請求項４】
前記操作部は、
使用者による押圧操作に連動して傾動される解除部と、
前記グリップ部又は前記ネック部の内部において軸線方向に沿って変位可能に設けられた押出部と、
平常時には圧縮状態にあって前記押出部に当接される弾性部と、
前記解除部と前記押出部とに設けられて互いに係合することで前記押出部の変位が規制状態とされる規制部と、
を備え、
前記解除部の傾動に連動して前記規制部による規制状態が解除されることにより、前記弾性部の付勢により前記押出部が軸線方向に沿って変位することで前記ヘッド部が前記ネック部から離脱される、
ことを特徴とする請求項３に記載の歯ブラシ。
【考案の詳細な説明】
【技術分野】
【０００１】
本考案は、歯ブラシに関し、特に、ブラシ部を備えた先端部のヘッド部を交換可能とした歯ブラシに関する。
【背景技術】
【０００２】
従来から、旅行用などの歯ブラシには、分離若しくは交換可能とした歯ブラシが周知である。また、資源の無駄を省くとの観点から、上記旅行用における分離タイプと同様に、ブラシ部を備えた先端部のヘッド部、若しくは、ヘッド部を含むネック部を交換可能としたものも周知である。
【０００３】
ところで、このような歯ブラシ、特に、使用者が握持して歯磨き操作を行うグリップ部に対して、グリップ部の一端に設けられてグリップ部よりも小径又は扁平なネック部をブラシ部と一体に交換可能としたのでは、資源の無駄を十分に省いたとは言い難かった。
【０００４】
そこで、グリップ部とネック部とは再利用可能とし、ブラシ部を備えたブラシ部のみを交換可能とした歯ブラシが提案されている（例えば、特許文献１参照）。
【０００５】
具体的に、特許文献１に開示の技術は、生分解性プラスチックからなる立体形状を有する部材を用いた勘合部において、少なくとも一方を生分解性プラスチックで成形し、生分解性プラスチックの熱変形を利用して部材を勘合させることにより、生分解性プラスチックの形状記憶により形状が熱によって戻る力を利用し、８０℃以上のお湯等に浸すことでブラシ部の嵌め込み及び離脱を可能としている。
【先行技術文献】
【特許文献】
【０００６】
【特許文献１】特開２００２−０００３５３号公報
【考案の概要】
【考案が解決しようとする課題】
【０００７】
しかしながら、このような先行技術文献に開示の歯ブラシにあっては、８０℃以上の熱湯にブラシ部を浸す必要があるため、交換時、特に使い古したブラシ部を離脱させる際において衛生面の観点では有効ではあるものの、ブラシ部には熱湯が残存している状態であるために、安全性の観点から、交換作業に手間と注意とが必要となってしまうという問題が生じていた。
【０００８】
一般に、このような先行技術文献に開示の歯ブラシにあっては、特に、ブラシ部を含むヘッド部を交換する際には、少なくとも、使い古したヘッド部のみをネック部から離脱させる際にヘッド部を触ることなく行えるのが衛生面の観点から好ましい。
【０００９】
本考案の課題は、上述のような課題を解決するために、容易かつ安全にヘッド部を破棄することができる歯ブラシを提供することにある。
【課題を解決するための手段】
【００１０】
本考案に係る歯ブラシは、上記目的を達成のため、使用者が握持して歯磨き操作がなされるグリップ部と、前記グリップ部の先端部に設けられて前記グリップ部よりも小径又は扁平なネック部と、前記ネック部の先端部に着脱可能に設けられてブラシ部を備えたヘッド部と、前記ネック部と前記ヘッド部との接続部分に設けられて互いが係合状態とされる係合部と、前記グリップ部又は前記ネック部に設けられて、使用者の操作によって前記係合部の係合状態が解除されつつ前記ネック部から前記ヘッド部が離脱される操作部と、を備えるものである。
【００１１】
本考案に係る歯ブラシは、歯磨き操作をするために使用者が握持するグリップ部にネック部を介してブラシ部を備えたヘッド部が設けられている。ネック部は、使用者の歯磨き操作によって口内から出し入れし易い太さと長さとを備えており、グリップ部に対して交換不要に取り付けられている。
【００１２】
一方、ブラシ部を備えたヘッド部は、使用に伴う消耗によってネック部に対して交換可能とされている。この際、ヘッド部は、ネック部との接続部分に互いに係合可能な係合部を備えており、歯磨き操作に伴って不測にネック部から脱落しないようになっている。そして、使い古したヘッド部を新たなヘッド部に交換する際には、グリップ部又はネック部に設けられた操作部を使用者が操作することによって、係合部の係合状態が解除されるとともに、ネック部からヘッド部が離脱される。
【００１３】
これにより、使用者等は、ヘッド部を触ることなく使い古したヘッド部をネック部から離脱させることができるので、容易かつ安全にヘッド部を破棄することができる。
【００１４】
請求項２記載の考案は、前記ヘッド部は基端側から突出された挿入部を備え、前記ネック部は先端部に向けて開口されて前記挿入部が挿入可能な挿入口部を備え、前記係合部は前記挿入部と前記挿入口部とに雌雄を異ならせて構成されている、ものである。
【００１５】
したがって、ヘッド部の基端側から突出された挿入部を、ネック部の先端部に開口された挿入口部に挿入するだけで、雌雄の異なる係合部が互いに係合して係合状態となる。
【００１６】
請求項３記載の考案は、前記係合部は、弾性を有する前記挿入部の突出端側に設けられた凸部と、前記挿入口部の内壁面部に設けられて前記凸部が弾発係合される凹部と、を備え、前記操作部は、使用者による押圧操作に連動して変位されることによって前記凸部と前記凹部との間に先端部が臨んで前記係合部の係合状態が解除される操作片部を備える、ものである。
【００１７】
したがって、弾性を有する挿入部の突出端側に凸部が設けられるとともに、挿入口部の内壁面部に凹部が設けられ、挿入口部に挿入部が挿入されるだけで、凹部に凸部が弾発係合される。一方、操作片部を備える操作部を使用者が押圧操作すると、その操作に連動して変位されることによって凸部と凹部との間に操作片部が臨んで係合部の係合状態が解除される。
【００１８】
請求項４記載の考案は、前記操作部は、使用者による押圧操作に連動して傾動される解除部と、前記グリップ部又は前記ネック部の内部において軸線方向に沿って変位可能に設けられた押出部と、平常時には圧縮状態にあって前記押出部に当接される弾性部と、前記解除部と前記押出部とに設けられて互いに係合することで前記押出部の変位が規制状態とされる規制部と、を備え、前記解除部の傾動に連動して前記規制部による規制状態が解除されることにより、前記弾性部の付勢により前記押出部が軸線方向に沿って変位することで前記ヘッド部が前記ネック部から離脱される、ものである。
【００１９】
したがって、使用者による押圧操作によって解除部が連動して傾動され、グリップ部又はネック部の内部に押出部が軸線方向に沿って変位可能に設けられ、平常時には圧縮状態の弾性部が押出部に当接され、互いに係合することで押出部の変位が規制状態とされる規制部が解除部と押出部とに設けられている。そして、解除部の傾動に連動して規制部による規制状態が解除されることにより、弾性部の付勢により押出部が軸線方向に沿って変位することでヘッド部がネック部から離脱される。
【考案の効果】
【００２０】
本考案によれば、ネック部とヘッド部との接続部分に設けられて互いが係合状態とされる係合部と、グリップ部又はネック部に設けられて、使用者の操作によって係合部の係合状態が解除されつつネック部からヘッド部が離脱される操作部と、を備えることにより、操作部を使用者が操作するだけで係合部の係合状態が解除されるとともにネック部からヘッド部が離脱されるため、ヘッド部を触ることなく使い古したヘッド部をネック部から離脱させることができ、容易かつ安全にヘッド部を破棄することができる。
【００２１】
請求項２記載の考案にあっては、ヘッド部の基端側から突出された挿入部を、ネック部の先端部に開口された挿入口部に挿入するだけで、雌雄の異なる係合部が互いに係合して係合状態となることにより、簡素な構成でヘッド部をネック部に装着することが可能となる。
【００２２】
請求項３記載の考案にあっては、弾性を有する挿入部の突出端側に凸部が設けられるとともに、挿入口部の内壁面部に凹部が設けられ、挿入口部に挿入部が挿入されるだけで、凹部に凸部が弾発係合されることにより、ワンタッチでヘッド部をネック部に装着することができる。一方、操作片部を備える操作部を使用者が押圧操作すると、その操作に連動して変位されることによって凸部と凹部との間に操作片部が臨んで係合部の係合状態が解除されることにより、操作部の操作のみでヘッド部をネック部から離脱することができる。
【００２３】
請求項４記載の考案にあっては、解除部の傾動に連動して規制部による規制状態が解除されることにより、弾性部の付勢により押出部が軸線方向に沿って変位することでヘッド部がネック部から離脱されることにより、ヘッド部が弾性部の規制によって強制的に押し出されるようにネック部から離脱させることができる。
【図面の簡単な説明】
【００２４】
【図１】本考案に係る歯ブラシの一実施の形態を示し、ヘッド部をネック部から取り外した状態の分解斜視図である。
【図２】本考案に係る歯ブラシの一実施の形態を示し、（Ａ）はヘッド部がネック部に装着されている状態で歯ブラシの断面図、（Ｂ）はヘッド部がネック部から離脱されている状態の歯ブラシの断面図、である。
【図３】本考案に係る歯ブラシの一実施の形態における図２（Ａ）の楕円Ａで囲む規制部の動作を示し、（Ａ）は押出部が規制状態にあるときの要部の断面図、（Ｂ）は押出部が規制解除状態にあるときの要部の断面図、である。
【図４】本考案に係る歯ブラシの一実施の形態における図２（Ａ）の円Ｂで囲む係合部の動作を示し、（Ａ）は係合部が係合状態にあるときの要部の断面図、（Ｂ）は係合部が係合解除状態にあるときの要部の断面図、（Ｃ）はヘッド部が押し出されている状態の要部の断面図、である。
【考案を実施するための形態】
【００２５】
次に、本考案に係る一実施の形態について図面を参照して説明する。なお、以下に示す各図においては、その構造並びに機能を明確にするために誇張して示しており、例えば、実際の肉厚や比率等を限定的に示すものではない。また、以下の説明において、上下左右前後等の方向は、図示を基準とする説明の便宜上のものであって、歯ブラシとしての利用形態を特定するものではない。
【００２６】
図１に示すように、歯ブラシ１は、使用者が握持して歯磨き操作がなされる中空のグリップ部１０と、グリップ部１０の基端部１０ａに設けられた中空のキャップ部２０と、グリップ部１０の先端部１０ｂに設けられて先端に向かうほどグリップ部１０よりも小径又は扁平とされた中空のネック部３０と、ネック部３０の先端部３０ａに着脱可能に設けられてブラシ部４１を備えたヘッド部４０と、ネック部３０とヘッド部４０との接続部分に設けられて互いが係合状態とされる係合部５０と、グリップ部１０又はネック部３０に設けられて、使用者の操作によって係合部５０の係合状態が解除されつつネック部３０からヘッド部４０が離脱される操作部６０と、を備える。
【００２７】
グリップ部１０は、例えば、使用者が握持して歯磨き操作し易い太さ並びに断面形状に形成されている。本実施の形態においては、断面角部をＲ状又は面取り状に形成した矩形の筒状に形成されている。
【００２８】
グリップ部１０の一面（以下、この一面側を上面側と称する）には、操作部６０の操作体部６１が設けられている。また、グリップ部１０の先端寄りの上面側には、隆起部１１が一体に形成されている。
【００２９】
図２に示すように、隆起部１１は、先端側から後端側に向かって斜め上向きに傾斜しており、その内面側には傾斜ガイド面１１ａが形成されている。
【００３０】
図３に示すように、隆起部１１には、傾斜ガイド面１１ａの上端側に段差状の突出部１１ｂが形成されており、その段差状の底面部分は規制面１１ｃとなっている。
【００３１】
グリップ部１０の上面側には、隆起部１１の後方にスリット状の貫通部１２を存して厚肉部１３が一体に形成されている。この厚肉部１３には、使用者による操作部６０の押圧操作に連動して傾動される解除部７０が設けられている。
【００３２】
図２に示すように、グリップ部１０の先端寄りの内面には、板状のガイド部１４が一体に設けられている。
【００３３】
図２に示すように、グリップ部１０の基端部１０ａは、その開口端がキャップ部２０により閉塞されている。このキャップ部２０の内面側には、グリップ部１０の軸線方向に沿って突出されてコイルスプリング状の弾性部９０の一端側が支持される支持部２１が一体に形成されている。
【００３４】
図１に示すように、ネック部３０の先端部３０ａには、端面に開口された挿入口部３１が設けられている。
【００３５】
図２及び図４に示すように、ネック部３０の挿入口部３１の上面側の内壁面には、肉厚の相違によって段差状に形成された凹部５１が一体に形成されている。この凹部５１は、係合部５０の一部を構成している。
【００３６】
図１及び図２に示すように、ヘッド部４０は、ブラシ部４１を植毛したブラシ台部４２と、ブラシ台部４２の基端側から突出された挿入部４３とを備える。挿入部４３の先端部には設けられ凸部５２が一体に形成され、挿入部４３の全体が弾性を有する槍状に形成されている。なお、ブラシ台部４２の肉厚や大きさ、及び平面形状については、周知の構成のものを適宜採用することができる。
【００３７】
図１，図２及び図４に示すように、係合部５０は、挿入部４３と挿入口部３１とに雌雄を異ならせて構成されており、本実施の形態においては、ヘッド部４０において弾性を有する挿入部４３の先端部に設けられた凸部５２と、ネック部３０において先端部３０ａに向けて開口されて挿入部４３が挿入可能な挿入口部３１の内壁面部に設けられて凸部５２が弾発係合される凹部５１と、を備えている。
【００３８】
図２に示すように、操作部６０は、アーチ状に隆起した操作体部６１と、操作体部６１の先端側からグリップ部１０及びネック部３０の内部に臨む操作片部６２と、操作体部６１の後部寄りの内面から突出する押下片６３と、を一体に備える。
【００３９】
図３及び図４に示すように、操作片部６２は、傾斜ガイド面１１ａに方向が規定されるように貫通部１２を貫通するとともに、グリップ部１０の先端寄りの内面と板状のガイド部１４との間を通過して、凸部５２と凹部５１との間に向かって先端部６２ａが延びている。また、図２及び図３に示すように、操作片部６２には、傾斜ガイド面１１ａに沿う部分に規制面１１ｃと当接することで操作片部６２の抜け方向の変位が規制される突起部６２ｂが一体に形成されている。
【００４０】
図２及び図３に示すように、解除部７０は、厚肉部１３に圧入支持されて揺動支点となる被支持片部７１と、被支持片部７１の基端側から前方に折り返すように延びる力点部７２と、被支持片部７１の基端側から後方に延長されるように延びる作用点部７３と、作用点部７３の下面側から突出する後方側規制突起７４と、が一体に形成されている。
【００４１】
力点部７２は、操作体部６１の底面と接触している。また、後方側規制突起７４は、グリップ部１０からネック部３０の内部に跨るように軸線方向に沿って変位可能に設けられた押出部８０の上面突起部８１と係合可能となっている。なお、図３に示すように、上面突起部８１は、厚肉部１３の後面である前方側規制部１３ａとも当接可能となっている。したがって、解除部７０と押出部８０とに設けられた後方側規制突起７４及び上面突起部８１は、前方側規制部１３ａを含めて互いに係合することで押出部８０の変位が後方側及び前方側でそれぞれ規制状態を形成する規制部１００を構成する。
【００４２】
図２及び図４に示すように、押出部８０は、後端側からグリップ部１０の軸線方向に沿って突出されてコイルスプリング状の弾性部９０の他端側が支持される支持部８２と、前端側からグリップ部１０の軸線方向に沿って突出されて係合部５０に向かって先端部８３ａが延びる押出片８３と、が一体に形成されている。
【００４３】
上記の基本構成において、ヘッド部４０は、弾性を有する挿入部４３を挿入口部３１に挿入するだけで、挿入部４３の弾性により凸部５２が凹部５１に弾発係合してネック部３０に装着することができる。
【００４４】
一方、ネック部３０からヘッド部４０を取り外す場合には、操作部６０の操作体部６１を使用者が押し下げ操作すると、図３（Ａ）に示した状態から、図３（Ｂ）に示すように、力点部７２が作用点部７３を持ち上げるように傾動され、規制部１００の後方側規制突起７４と上面突起部８１との係合状態が解除される（図３（Ａ），（Ｂ）参照）。
【００４５】
これにより、押出部８０が弾性部９０の弾性力により前方に向けて変位し、上面突起部８１が前方側規制部１３ａに当接するまで押し出される。
【００４６】
一方、操作部６０の操作体部６１を使用者が押し下げ操作すると、操作片部６２が傾斜ガイド面１１ａに案内されつつ変位する。これにより、操作片部６２の先端部６２ａが凸部５２と凹部５１との間に臨み、係合部５０の係合状態が解除される（図４（Ａ）−（Ｃ）参照）。
【００４７】
これにより、押出部８０の押出片８３が凸部５２と当接し、挿入口部３１から挿入部４３を押し出し、ヘッド部４０をネック部３０から離脱させることができる。
【００４８】
なお、図４（Ａ）に示すように、押出片８３の先端部８３ａは、凸部５２が凹部５１に弾発係合している状態において厚さＨだけ重なっている。これにより、凸部５２と凹部５１との係合状態が解除されていなくても、押出片８３の前方側への変位が規制され、不測に押出片８３の先端部８３ａのみが前方に変位してしまうことを抑制している。
【００４９】
すなわち、同一の操作部６０の操作に連動する凸部５２と凹部５１との係合状態解除及びの後方側規制突起７４と上面突起部８１との係合解除のタイミングとを厳密に調整する必要がなく、簡素な構成を採用することができる。
【００５０】
このように、歯ブラシ１は、使用者が握持して歯磨き操作がなされるグリップ部１０と、グリップ部１０の先端部１０ｂに設けられてグリップ部１０よりも小径又は扁平なネック部３０と、ネック部３０の先端部３０ａに着脱可能に設けられてブラシ部４１を備えたヘッド部４０と、ネック部３０とヘッド部４０との接続部分に設けられて互いが係合状態とされる係合部５０と、グリップ部１０又はネック部３０に設けられて、使用者の操作によって係合部５０の係合状態が解除されつつネック部３０からヘッド部４０が離脱される操作部６０と、を備えるものである。
【００５１】
すなわち、歯ブラシ１には、歯磨き操作をするために使用者が握持するグリップ部１０にネック部３０を介してブラシ部４１を備えたヘッド部４０が設けられている。ネック部３０は、使用者の歯磨き操作によって口内から出し入れし易い太さと長さとを備えており、グリップ部１０に対して交換不要に取り付けられている。
【００５２】
一方、ブラシ部４１を備えたヘッド部４０は、使用に伴う消耗によってネック部３０に対して交換可能とされている。この際、ヘッド部４０は、ネック部３０との接続部分に互いに係合可能な係合部５０を備えており、歯磨き操作に伴って不測にネック部３０から脱落しないようになっている。そして、使い古したヘッド部４０を新たなヘッド部４０に交換する際には、グリップ部１０又はネック部３０に設けられた操作部６０を使用者が操作することによって、係合部５０の係合状態が解除されるとともに、ネック部３０からヘッド部４０が離脱される。
【００５３】
これにより、使用者等は、ヘッド部４０を触ることなく使い古したヘッド部４０をネック部３０から離脱させることができるので、容易かつ安全にヘッド部４０を破棄することができる。
【００５４】
このように、ネック部３０とヘッド部４０との接続部分に設けられて互いが係合状態とされる係合部５０と、グリップ部１０又はネック部３０に設けられて、使用者の操作によって係合部５０の係合状態が解除されつつネック部３０からヘッド部４０が離脱される操作部６０と、を備えることにより、操作部６０を使用者が操作するだけで係合部５０の係合状態が解除されるとともにネック部３０からヘッド部４０が離脱されるため、ヘッド部４０を触ることなく使い古したヘッド部４０をネック部３０から離脱させることができ、容易かつ安全にヘッド部４０を破棄することができる。
【００５５】
また、歯ブラシ１は、ヘッド部４０は基端側から突出された挿入部４３を備え、ネック部３０は先端部３０ａに向けて開口されて挿入部４３が挿入可能な挿入口部３１を備え、係合部５０は挿入部４３と挿入口部３１とに雌雄を異ならせて構成されている。
【００５６】
したがって、ヘッド部４０の基端側から突出された挿入部４３を、ネック部３０の先端部３０ａに開口された挿入口部３１に挿入するだけで、雌雄の異なる係合部５０が互いに係合して係合状態となる。
【００５７】
このように、ヘッド部４０の基端側から突出された挿入部４３を、ネック部３０の先端部３０ａに開口された挿入口部３１に挿入するだけで、雌雄の異なる係合部５０が互いに係合して係合状態となることにより、簡素な構成でヘッド部４０をネック部３０に装着することが可能となる。
【００５８】
具体的に、係合部５０は、弾性を有する挿入部４３の突出端側に設けられた凸部５２と、挿入口部３１の内壁面部に設けられて凸部５２が弾発係合される凹部５１と、を備え、操作部６０は、使用者による押圧操作に連動して変位されることによって凸部５２と凹部５１との間に先端部６２ａが臨んで係合部５０の係合状態が解除される操作片部６２を備える。
【００５９】
したがって、弾性を有する挿入部４３の突出端側に凸部５２が設けられるとともに、挿入口部３１の内壁面部に凹部５１が設けられ、挿入口部３１に挿入部４３が挿入されるだけで、凹部５１に凸部５２が弾発係合される。一方、操作片部６２を備える操作部６０を使用者が押圧操作すると、その操作に連動して変位されることによって凸部５２と凹部５１との間に操作片部６２の先端部６２ａが臨んで係合部５０の係合状態が解除される。
【００６０】
このように、弾性を有する挿入部４３の突出端側に凸部５２が設けられるとともに、挿入口部３１の内壁面部に凹部５１が設けられ、挿入口部３１に挿入部４３が挿入されるだけで、凹部５１に凸部５２が弾発係合されることにより、ワンタッチでヘッド部４０をネック部３０に装着することができる。一方、操作片部６２を備える操作部６０を使用者が押圧操作すると、その操作に連動して変位されることによって凸部５２と凹部５１との間に操作片部６２が臨んで係合部５０の係合状態が解除されることにより、操作部６０の操作のみでヘッド部４０をネック部３０から離脱することができる。
【００６１】
さらに、操作部６０は、使用者による押圧操作に連動して傾動される解除部７０と、グリップ部１０又はネック部３０の内部において軸線方向に沿って変位可能に設けられた押出部８０と、平常時には圧縮状態にあって押出部８０に当接される弾性部９０と、解除部７０と押出部８０とに設けられて互いに係合することで押出部８０の変位が規制状態とされる規制部１００と、を備え、解除部７０の傾動に連動して規制部１００による規制状態が解除されることにより、弾性部９０の付勢により押出部８０が軸線方向に沿って変位することでヘッド部４０がネック部３０から離脱される。
【００６２】
したがって、使用者による押圧操作によって解除部７０が連動して傾動され、グリップ部１０又はネック部３０の内部に押出部８０が軸線方向に沿って変位可能に設けられ、平常時には圧縮状態の弾性部９０が押出部８０に当接され、互いに係合することで押出部８０の変位が規制状態とされる規制部１００が解除部７０と押出部８０とに設けられている。そして、解除部７０の傾動に連動して規制部１００による規制状態が解除されることにより、弾性部９０の付勢により押出部８０が軸線方向に沿って変位することでヘッド部４０がネック部３０から離脱される。
【００６３】
このように、解除部７０の傾動に連動して規制部１００による規制状態が解除されることにより、弾性部９０の付勢により押出部８０が軸線方向に沿って変位することでヘッド部４０がネック部３０から離脱されることにより、ヘッド部４０が弾性部９０の規制によって強制的に押し出されるようにネック部３０から離脱させることができる。
【符号の説明】
【００６４】
１        歯ブラシ
１０        グリップ部
１０ａ    基端部
１０ｂ    先端部
１１        隆起部
１１ａ    傾斜ガイド面
１１ｂ    突出部
１１ｃ    規制面
１２        貫通部
１３        厚肉部
１３ａ    前方側規制部
１４        ガイド部
２０        キャップ部
２１        支持部
３０        ネック部
３０ａ    先端部
３１        挿入口部
４０        ヘッド部
４１        ブラシ部
４２        ブラシ台部
４３        挿入部
５０        係合部
５１        凹部
５２        凸部
６０        操作部
６１        操作体部
６２        操作片部
６２ａ    先端部
６２ｂ    突起部
６３        押下片
７０        解除部
７１        支持片部
７２        力点部
７３        作用点部
７４        後方側規制突起
８０        押出部
８１        上面突起部
８２        支持部
８３        押出片
８３ａ    先端部
９０        弾性部
１００        規制部
Ｈ        厚さ
【図１】
0003219389.tif 000003
【図２】
0003219389.tif 000004
【図３】
0003219389.tif 000005
【図４】
0003219389.tif 000006